(57)【特許請求の範囲】
【請求項１】
可動部材と、台部材とを有し、
前記可動部材は、弾性屈曲可能な一対の脚部と、この一対の脚部を連結する連結部とを有し、
前記一対の脚部の先端部側には、軟質眼内レンズが両脚部に跨って載置されるレンズ載置部と、このレンズ載置部に載置された前記軟質眼内レンズを挟み込む壁部とが設けられ、
前記台部材は、前記一対の脚部の先端部を貫入させてスライド移動させるとともにその移動量に応じて前記一対の脚部の間隔を狭めるように形成されたスライド溝部を有することを特徴とする軟質眼内レンズ折り畳み装置。
【請求項２】
前記一対の脚部に設けられ、この一対の脚部が前記スライド溝部内で移動することによって、この一対の脚部にかかる変形荷重を集中的に吸収して屈曲変形する荷重吸収部を有することを特徴とする請求項１記載の軟質眼内レンズ折り畳み装置。
【請求項３】
前記レンズ載置部に載置される前記軟質眼内レンズを、前記可動部材のスライド移動方向の所定位置に位置決めする位置決め部を有することを特徴とする請求項１記載の軟質眼内レンズ折り畳み装置。
【請求項４】
前記レンズ載置部に載置される前記軟質眼内レンズの向きを、この軟質眼内レンズの中心軸を回転軸とする回転方向における所定の向きに設定する向き設定部を有することを特徴とする請求項１記載の軟質眼内レンズ折り畳み装置。
【請求項５】
前記スライド溝部に設けられ、前記一対の脚部の先端部より後方の部分を案内する案内溝部を有することを特徴とする請求項１記載の軟質眼内レンズ折り畳み装置。
【請求項６】
前記可動部材が前記スライド溝部から浮き上がるのを防止するための浮き上がり防止部を有することを特徴とする請求項１記載の軟質眼内レンズ折り畳み装置。
【請求項７】
前記レンズ載置部を、このレンズ載置部に前記軟質眼内レンズを載置可能なレンズ載置位置に位置決めするための位置決め部を有することを特徴とする請求項１記載の軟質眼内レンズ折り畳み装置。
【請求項８】
前記レンズ載置部を、このレンズ載置部に載置された前記軟質眼内レンズの折り畳みが完了するレンズ折り畳み完了位置に位置決めするための位置決め部を有することを特徴とする請求項１記載の軟質眼内レンズ折り畳み装置。
【請求項９】
前記連結部が前記一対の脚部の基端部を連結することを特徴とする請求項１記載の軟質眼内レンズ折り畳み装置。
【請求項１０】
前記連結部が前記一対の脚部と一体的に構成されていることを特徴とする請求項１記載の軟質眼内レンズ折り畳み装置。
【請求項１１】
可動部材と、台部材と、蓋部材とを有し、
前記可動部材は、弾性屈曲可能な一対の脚部と、この一対の脚部を連結する連結部とを有し、
前記一対の脚部の先端部側には、軟質眼内レンズが両脚部に跨って載置されるレンズ載置部と、このレンズ載置部に載置された前記軟質眼内レンズを挟み込む壁部とが形成され、
前記台部材は、前記一対の脚部の先端部を貫入させてスライド移動させるとともにその移動量に応じて前記一対の脚部の間隔を狭めるように形成されたスライド溝部を有し、
前記蓋部材は、前記レンズ載置部に載置された前記軟質眼内レンズを収納するレンズ収納空間を形成することを特徴とする軟質眼内レンズ収納容器。
【請求項１２】
前記レンズ収納空間は、前記蓋部材のスライド移動によって開閉されることを特徴とする請求項１１記載の軟質眼内レンズ収納容器。
【請求項１３】
前記蓋部材のスライド移動方向が前記可動部材のスライド移動方向と同じ方向に設定されていることを特徴とする請求項１２記載の軟質眼内レンズ収納容器。
【請求項１４】
前記レンズ収納空間を開くための前記蓋部材のスライド移動方向が前記軟質眼内レンズを折り畳むための前記可動部材のスライド移動方向と同じ方向に設定されていることを特徴とする請求項１３記載の軟質眼内レンズ収納容器。
【請求項１５】
前記可動部材と前記蓋部材とが独立にスライド移動可能であることを特徴とする請求項１４記載の軟質眼内レンズ収納容器。
【請求項１６】
前記可動部材と前記蓋部材とが一緒に操作可能であることを特徴とする請求項１５記載の軟質眼内レンズ収納容器。
【請求項１７】
前記一対の脚部に設けられ、この一対の脚部が前記スライド溝部内で移動することによってこの一対の脚部にかかる変形荷重を集中的に吸収して屈曲変形する荷重吸収部を有することを特徴とする請求項１１記載の軟質眼内レンズ収納容器。
【請求項１８】
前記レンズ載置部に載置される前記軟質眼内レンズを、前記可動部材のスライド移動方向の所定位置に位置決めする位置決め部を有することを特徴とする請求項１１記載の軟質眼内レンズ収納容器。
【請求項１９】
前記レンズ載置部に載置される前記軟質眼内レンズの向きを、この軟質眼内レンズの中心軸を回転軸とする回転方向における所定の向きに設定する向き設定部を有することを特徴とする請求項１１記載の軟質眼内レンズ収納容器。
【請求項２０】
前記スライド溝部に設けられ、前記一対の脚部の先端部より後方の部分を案内する案内溝部を有することを特徴とする請求項１１記載の軟質眼内レンズ収納容器。
【請求項２１】
前記可動部材が前記スライド溝部から浮き上がるのを防止するための浮き上がり防止部を有することを特徴とする請求項１１項記載の軟質眼内レンズ収納容器。
【請求項２２】
前記レンズ載置部を、このレンズ載置部に前記軟質眼内レンズを載置可能なレンズ載置位置に位置決めするための位置決め部を有することを特徴とする請求項１１記載の軟質眼内レンズ収納容器。
【請求項２３】
前記レンズ載置部を、前記軟質眼内レンズの折り畳みが完了するレンズ折り畳み完了位置に位置決めする位置決め部を有することを特徴とする請求項１１記載の軟質眼内レンズ収納容器。
【請求項２４】
前記連結部が前記一対の脚部の基端部を連結することを特徴とする請求項１１記載の軟質眼内レンズ収納容器。
【請求項２５】
前記連結部が前記一対の脚部と一体的に構成されていることを特徴とする請求項１１記載の軟質眼内レンズ収納容器。
【請求項２６】
前記一対の脚部に設けられ、この一対の脚部が前記スライド溝部内で移動することによってこの一対の脚部にかかる変形荷重を集中的に吸収して屈曲変形する荷重吸収部と、
前記レンズ載置部に載置される前記軟質眼内レンズを、前記可動部材のスライド移動方向の所定位置に位置決めする位置決め部と、
前記レンズ載置部に載置された前記軟質眼内レンズの向きを、この軟質眼内レンズの中心軸を回転軸とする回転方向における所定の向きに設定する向き設定部と、
前記スライド溝部に設けられ、前記一対の脚部の先端部より後方の部分を案内する案内溝部と、
前記可動部材が前記スライド溝部から浮き上がるのを防止するための浮き上がり防止部と、
前記レンズ載置部を、このレンズ載置部に前記軟質眼内レンズを載置可能なレンズ載置位置に位置決めするための位置決め部と、
前記レンズ載置部を、前記軟質眼内レンズの折り畳みが完了するレンズ折り畳み完了位置に位置決めする位置決め部と
を有し、
前記連結部が、前記一対の脚部の基端部を連結するように、この一対の脚部と一体的に形成され、
前記レンズ収納空間は、前記蓋部材のスライド移動によって開閉され、
前記蓋部材のスライド移動方向が前記一対の脚部のスライド移動方向と同じ方向に設定され、
前記レンズ収納空間を開くための前記蓋部材のスライド移動方向が前記軟質眼内レンズを折り畳むための前記可動部材のスライド移動方向と同じ方向に設定され、
前記一対の脚部と前記蓋部材とが独立にスライド移動可能であり、
前記一対の脚部と前記蓋部材とが一緒に操作可能である
ことを特徴とする請求項１１記載の軟質眼内レンズ収納容器。
【請求項２７】
前記荷重吸収部は、前記脚部の幅を局部的に狭くすることにより形成されていることを特徴とする請求項２６記載の軟質眼内レンズ収納容器。
【発明の詳細な説明】
【０００１】
（技術分野）
本発明は、白内障手術等に使用する軟質眼内レンズを折り畳むための軟質眼内レンズ折り畳み装置およびこの軟質眼内レンズを収納するための軟質眼内レンズ収納容器に関する。
【０００２】
（背景技術）
例えば、白内障の手術においては、白内障で濁った水晶体の代わりに人工的なレンズである軟質眼内レンズを挿入する外科的な処置によって、視力の回復が図られている。
【０００３】
この軟質眼内レンズは、円形の光学レンズ部と、この光学レンズ部を眼内で安定させるための一対の支持部とを有する。
【０００４】
この軟質眼内レンズとしては、近年、光学レンズ部がシリコーン樹脂、アクリル樹脂、ハイドロゲルなどの素材に形成された軟質眼内レンズが提供されるようになってきた。
【０００５】
この軟質眼内レンズによれば、光学レンズ部を二つ折りに変形させることができる。これにより、軟質眼内レンズを眼内に挿入する場合、光学レンズ部を折り畳んだ状態で挿入することができる。その結果、手術時の切開創口を小さくして手術後の回復を早めるなどの臨床上の利点を多く得ることができる。
【０００６】
この軟質眼内レンズの使用に際しては、眼内に挿入する前にあらかじめ光学レンズ部を折り畳む作業が必要となる。
【０００７】
この折り畳み作業を行う方法として、従来は、鑷子（せっし）と呼ばれるピンセット状の特殊器具を用いる方法と、インジェクター（挿入器）と呼ばれる専用治具を用いる方法とがあった。
【０００８】
鑷子を用いる方法では、２本の鑷子を使用する。すなわち、この方法では、まず、１本目の鑷子を利き手に持ち、この鑷子で光学レンズ部の中心部を挟んで保持する。次に、そのままの状態で、その鑷子を反対の手に持ち替え、空いた利き手に、眼内挿入用の２本目の鑷子を持ち、その２本目の鑷子で光学レンズ部を折り曲げる。２本目の鑷子が光学レンズ部を折り曲げた状態でしっかり保持していることを確認してから、１本目の鑷子を抜き取る。このあと、２本目の鑷子によって折り曲げられている軟質眼内レンズを眼内に挿入する。
【０００９】
インジェクターを用いる方法では、まず、インジェクター内に軟質眼内レンズをセットしてから、そのインジェクターの先端を眼の挿入部分に挿入する。次に、インジェクターの押出口を操作してそのインジェクターの先端から眼内に軟質眼内レンズを挿入する（例えば、特開平４−２１２３５０号公報参照）。
【００１０】
なお、上述した２つの方法以外の方法としては、特表平９−５０１５７４号公報に記載された軟質眼内レンズ折曲げ器を用いる方法が提案されている。
【００１１】
この軟質眼内レンズ折曲げ器は、プライヤ状をなす一対のレバーハンドルにそれぞれ相対向する２対のジョーを形成し、この２対のジョーによって形成される４つの支持個所に光学レンズ部の縁部を載せて保持するとともに、そのレバーハンドルの握りしめ操作によって、一方のジョー対の間隙を狭めさせると同時に、他方のジョー対の間隙を広げさせるように構成されている。
【００１２】
この器具を使えば、２対のジョーで保持された光学レンズ部を一方のジョー対で挟み込んで折り曲げる際に、他方のジョー対をその折り曲げの障害とならないように開いて後退させることができる。これにより、軟質眼内レンズを保持したまま、折り畳みを行なうことができる。
【００１３】
しかしながら、上述した３つの方法には、それぞれ次のような問題のあることが本発明者らによって明らかにされた。
【００１４】
すなわち、上述した２本の鑷子を用いる方法では、作業が煩雑であるという問題と、光学レンズ部の中心を正確に挟むことが難しいという問題と、また、鑷子の持ち替え時やレンズの挟み替え時にレンズを落とすおそれがあるという問題等があった。さらには、光学レンズ部の中心部を鑷子で挟んで保持するので、光学上最も重要な部分を鑷子で傷つけやすいという問題もあった。以上から、この方法は、特に迅速で正確な処置が要求される手術においては、熟練した医師にとっても、かなりの負担を強いるという問題があった。
【００１５】
上述したインジェクターを用いる方法は、一見簡単で確実そうである。しかし、実際は、インジェクターの機構上、軟質眼内レンズがインジェクター内に正確にセットされていないと、インジェクター内で軟質眼内レンズが引っ掛かってしまって、挿入できなくなったり、正しい位置に挿入されなかったりするおそれがあった。したがって、この方法では、インジェクター内に軟質眼内レンズを正確にセットする必要があった。しかし、この方法では、インジェクター内に軟質眼内レンズを正確にセットすることは必ずも容易ではないという問題があった。
【００１６】
上述したレンズ折曲げ器を用いる方法では、２対のジョーの一方の間隙を狭めると同時に他方の間隙を広げるという２つの異なる動作を連携して行う必要がある。これにより、この方法では、構造が複雑で、高コストになりやすいという問題があった。また、この方法では、レバーハンドルを手動操作して光学レンズ部を折り曲げる際に、そのハンドル操作の力加減を誤まったりすると、光学レンズ部に無理な力が加わって光学レンズ部を傷つけやすいという問題があった。さらに、この方法では、光学レンズ部の折り曲げは、２対のジョーが形成する４つの支持個所の上に光学レンズ部の縁部を正しい位置で保持させて行う必要がある。しかし、この作業も意外と面倒で、これを正しく行うためにはかなりの注意を強いられる、という問題もあった。これは、光学レンズ部の保持位置が不正確だと、光学レンズ部を正確に折り畳むことができないばかりか、折り曲げ時に軟質眼内レンズが脱落してしまうおそれも生じるからである。
【００１７】
本発明の目的は、信頼性および経済性にすぐれた単純な構成で、軟質眼内レンズを保持して折り畳む際の取り扱いおよび操作を簡単かつ確実に行うことができる軟質眼内レンズ折り畳み装置および収納容器を提供することにある。
【００１８】
（発明の開示）
上記課題を解決するために、第１の発明の軟質眼内レンズ折り畳み装置は、次の（１）〜（４）を特徴とする。
（１）可動部材と台部材とを有する。
（２）可動部材は、一対の脚部と、連結部とを有する。一対の脚部は、弾性屈曲可能とされている。連結部は、一対の脚部を連結する機能を有する。
（３）一対の脚部の先端部側には、レンズ載置部と、壁部とが設けられている。レンズ載置部には、軟質眼内レンズが両脚部に跨って載置される。壁部は、レンズ載置部に載置された軟質眼内レンズを挟み込む機能を有する。
（４）台部材は、スライド溝部を有する。このスライド溝部は、一対の脚部の先端部を貫入させてスライド移動させるとともにその移動量に応じて一対の脚部の間隔を狭めるように形成されている。
【００１９】
第２の発明は、第１の発明において、荷重吸収部を有することを特徴とする。この荷重吸収部は、一対の脚部に設けられている。また、この荷重吸収部は、一対の脚部がスライド溝部内で移動することによって、この一対の脚部にかかる変形荷重を集中的に吸収して屈曲変形する機能を有する。
【００２０】
第３の発明は、第１の発明において、位置決め部を有することを特徴とする。この位置決め部は、レンズ載置部に載置される軟質眼内レンズを、可動部材のスライド移動方向における所定位置に位置決めする機能を有する。
【００２１】
第４の発明は、第１の発明において、向き設定部を有することを特徴とする。この向き設定部は、レンズ載置部に載置された軟質眼内レンズの向きを、この軟質眼内レンズの中心軸を回転軸とする回転方向における所定の向きに設定する機能を有する。
【００２２】
第５の発明は、第１の発明において、案内溝部を有することを特徴とする。この案内溝部は、スライド溝部に設けられている。また、この案内溝部は、一対の脚部の先端部より後方の部分を案内する機能を有する。
【００２３】
第６の発明は、第１の発明において、浮き上がり防止部を有することを特徴とする。この浮き上がり防止部は、可動部材がスライド溝部から浮き上がるのを防止する機能を有する。
【００２４】
第７の発明は、第１の発明において、位置決め部を有することを特徴とする。この位置決め部は、レンズ載置部をこのレンズ載置部に軟質眼内レンズを載置可能なレンズ載置位置に位置決めする機能を有する。
【００２５】
第８の発明は、第１の発明において、位置決め部を有することを特徴とする。この位置決め部は、レンズ載置部を、このレンズ載置部に載置された前記軟質眼内レンズの折り畳みが完了するレンズ折り畳み完了位置に位置決めする機能を有する。
【００２６】
第９の発明は、第１の発明において、連結部が一対の脚部の基端部を連結することを特徴とする。
【００２７】
第１０の発明は、第１の発明において、連結部が一対の脚部と一体的に構成されていることを特徴とする。
【００２８】
上記課題を解決するために、第１１の発明の軟質眼内レンズ収納容器は、次の（１）〜（５）を特徴とする。
（１）可動部材と、台部材と、蓋部材とを有する。
（２）可動部材は、一対の脚部と、連結部とを有する。一対の脚部は、弾性屈曲可能とされている。連結部は、一対の脚部を連結する機能を有する。
（３）一対の脚部の先端部側には、レンズ載置部と、壁部とが設けられている。レンズ載置部には、軟質眼内レンズが両脚部に跨って載置される。壁部は、レンズ載置部に載置された軟質眼内レンズを挟み込む機能を有する。
（４）台部材は、スライド溝部を有する。このスライド溝部は、一対の脚部の先端部を貫入させてスライド移動させるとともにその移動量に応じて一対の脚部の間隔を狭めるように形成されている。
（５）蓋部材は、レンズ載置部に載置された前記軟質眼内レンズを収納するレンズ収納空間を形成する。
【００２９】
第１２の発明は、第１１の発明において、レンズ収納空間が蓋部材のスライド移動によって開閉されることを特徴とする。
【００３０】
第１３の発明は、第１２の発明において、蓋部材のスライド移動方向が可動部材のスライド移動方向と同じ方向に設定されていることを特徴とする。
【００３１】
第１４の発明は、第１３の発明において、レンズ収納空間を開くための蓋部材のスライド移動方向が軟質眼内レンズを折り畳むための可動部材のスライド移動方向と同じ方向に設定されていることを特徴とする。
【００３２】
第１５の発明は、第１４の発明において、可動部材と蓋部材とが独立にスライド移動可能であることを特徴とする。
【００３３】
第１６の発明は、第１５の発明において、可動部材と蓋部材とが一緒にスライド操作可能であることを特徴とする。
【００３４】
第１７の発明は、第１１の発明において、荷重吸収部を有することを特徴とする。この荷重吸収部は、一対の脚部に設けられている。そして、この荷重吸収部は、一対の脚部がスライド溝部内で移動することによって、この一対の脚部にかかる変形荷重を集中的に吸収して屈曲変形する。
【００３５】
第１８の発明は、第１１の発明において、位置決め部を有することを特徴とする。この位置決め部は、レンズ載置部に載置される軟質眼内レンズを可動部材のスライド移動方向の所定位置に位置決めする機能を有する。
【００３６】
第１９の発明は、第１１の発明において、向き設定部を有することを特徴とする。この向き設定部は、レンズ載置部に載置された軟質眼内レンズの向きを、この軟質眼内レンズの中心軸を回転軸とする回転方向における所定の向きに設定する機能を有する。
【００３７】
第２０の発明は、第１１の発明において、案内溝部を有することを特徴とする。この案内溝部は、スライド溝部に設けられている。そして、この案内溝部は、一対の脚部の先端部より後方の部分を案内する機能を有する。
【００３８】
第２１の発明は、第１１の発明において、浮き上がり防止部を有することを特徴とする。この浮き上がり防止部は、可動部材がスライド溝部から浮き上がるのを防止する機能を有する。
【００３９】
第２２の発明は、第１１の発明において、位置決め部を有することを特徴とする。この位置決め部は、レンズ載置部をこのレンズ載置部に軟質眼内レンズを載置可能なレンズ載置位置に位置決めする機能を有する。
【００４０】
第２３の発明は、第１１の発明において、位置決め部を有することを特徴とする。この位置決め部は、レンズ載置部をこのレンズ載置部に載置された軟質眼内レンズの折り畳みが完了するレンズ折り畳み完了位置に位置決めする機能を有する。
【００４１】
第２４の発明は、第１１の発明において、連結部が一対の脚部の基端部を連結することを特徴とする。
【００４２】
第２５の発明は、第１１の発明において、連結部が一対の脚部と一体的に構成されていることを特徴とする。
【００４３】
第２６の発明は、第１１の発明において、第１２の発明から第２５の発明までの構成を有することを特徴とする。
【００４４】
第２７の発明は、第２６の発明において、荷重吸収部が脚部の幅を局部的に狭くすることにより形成されていることを特徴とする。
【００４５】
（発明を実施するための最良の形態）
以下、図面を参照しながら、本発明の実施の形態を詳細に説明する。
図１は、本発明の軟質眼内レンズ折り畳み装置の第１の実施の形態の構成を状態別に示す斜視図である。
【００４６】
同図に示す軟質眼内レンズ折り畳み装置は、まず、可動部材１と台部材２とを有する。可動部材１は、矩形の断面形状を有するように構成されている。これにより、可動部材１は、一対の脚部１２ａ，１２ｂと、この一対の脚部１２ａ，１２ｂの基端部を連結する連結部１１とを有する。以下、この連結部１１を共通基端部という。この共通基端部１１は脚部１２ａ，１２ｂと一体的に形成されている。
【００４７】
上記脚部１２ａ，１２ｂは、共通基端部１１から同一方向にほぼ並行に延在されている。この脚部１２ａ，１２ｂは、弾性屈曲可能とされている。
【００４８】
この脚部１２ａ，１２ｂの先端部側の上側面には、レンズ載置部１３ａ，１３ｂと、壁部１４ａ，１４ｂとが設けられている。
【００４９】
レンズ載置部１３ａ，１３ｂには、軟質眼内レンズ３の光学レンズ部３ａが水平に載置される。この場合、光学レンズ部３ａは、その縁部が一対の脚部１２ａ，１２ｂに跨るように載置される。
【００５０】
壁部１４ａ，１４ｂは、軟質眼内レンズ３を折り畳む際に、レンズ載置部１３ａ，１３ｂに載置された光学レンズ部３ａの縁部を水平方向から挟み込む機能を有する。この壁部１４ａ，１４ｂは、相対向する壁面を有する。この壁面は、上方に向かうに従って互いに近づくように傾斜されている（オーバーハング状態）。これは、光学レンズ部３ａを折り畳む場合に、光学レンズ部３ａが壁部１４ａ，１４ｂから外れるのを防止するためである。
【００５１】
脚部１２ａ，１２ｂの最先端部には、テーパ部１５ａ，１５ｂが形成されている。このテーパ部１５ａ，１５ｂは、脚部１２ａ，１２ｂを後述するスライド溝部２１に貫入したり、スライド溝部２１中をスライド移動させる場合の動作を円滑にする機能を有する。
【００５２】
台部材２は、スライド溝部２１を有する。このスライド溝部２１には、上記一対の脚部１２ａ，１２ｂが水平方向に貫入され、スライド移動させられる。このスライド溝部２１は、テーパ溝部２１ａと、平行溝部２１ｂとを有する。テーパ溝部２１ａは、脚部１２ａ，１２ｂの貫入方向（以下、「進行方向」という。）に向かって溝幅が徐々に狭まるように形成されている。平行溝部２１ｂは、テーパ溝部２１ａの先端から上記進行方向に延在するように形成されている。この場合、平行溝部２１ｂの溝幅は、テーパ溝部２１ａの先端の溝幅とほぼ同じ溝幅になるように設定されている。これにより、脚部１２ａ，１２ｂの間隔は、上記進行方向へのスライド移動に伴って狭められる。
【００５３】
可動部材１と台部材２とは、例えば、フッ素樹脂やポリアミド樹脂、あるいはアルミニウムなどの適度の弾性と剛性とを有する材料を用いて構成されている。なお、このような材料としては、他にも、ポリアクリレート、ポリエチレン、ポリエチレンテレフタレート、ポリ塩化ビニル、ポリカーボネート、ポリサルフォン、ポリスチレン、ポリブチレンテレフタレート、ポリプロピレン、ポリメチルペンテン等の樹脂類、ジュラルミン、ステンレス、チタン等の金属類、あるいはセラミック等の無機物を単体で用いてもよいし、上記樹脂類、金属類、セラミックを結合した複合体で用いてもよい。
【００５４】
上記構成において、動作について説明する。
軟質眼内レンズ３は、上述した光学レンズ部３ａと、支持部３ｂとを有する。光学レンズ部３ａは円形に形成されている。支持部３ｂは、光学レンズ部３ｂを眼内で安定させる機能を有する。この支持部３ｂは、光学レンズ部３ａの腕をなすようにその縁部に一対設けられている。また、この支持部３ｂは、弧状に形成されている。さらに、この支持部３ｂは、光学レンズ部３ａの外方に向かうように延在されている。
【００５５】
上述した軟質眼内レンズ３を折り畳む場合は、まず、図１の（Ａ）に示すように、光学レンズ部３ａが、操作者によって、レンズ載置部１３ａ，１３ｂに載置（セット）される。この載置は、光学レンズ部３ａの縁部が両脚部１２ａ，１２ｂに均等に跨るように行われる。
【００５６】
本実施の形態の場合、この位置決めは、上記壁部１４ａ，１４ｂの内側に光学レンズ部３ａを置くだけで行うことができる。これは、壁部１４ａ，１４ｂによって、可動部材１のスライド移動方向と直交する方向における軟質眼内レンズ３の位置が規定されるからである。また、この載置は、支持部３ｂの延在方向が可動部材１のスライド方向と一致するように行われる。
【００５７】
次に、軟質眼内レンズ３が載置された脚部１２ａ，１２ｂの先端部が、操作者によってスライド溝部２１に貫入される。このあと、可動部材１が、操作者によって、進行方向にスライド移動させられる。このスライド移動により、脚部１２ａ，１２ｂは互いに近づく方向に弾性屈曲させられる。これにより、脚部１２ａ，１２ｂの間隔が狭められる。その結果、光学レンズ部３ａが壁部１４ａ，１４ｂによって挟み込まれる。これによって、光学レンズ部３ａが折り曲げられる。この場合、脚部１２ａ，１２ｂの屈曲量は、そのスライド移動量に依存する。
【００５８】
脚部１２ａ，１２ｂのスライド移動により、レンズ載置部１３ａ，１３ｂがレンズ折り畳み完了位置に達すると、可動部材１のスライド移動が停止させられる。これは、例えば、レンズ載置部１３ａ，１３ｂがレンズ折り畳み完了位置に達すると、脚部１２ａ，１２ｂのうち、先端部より後ろの部分がテーパ溝部２１ａと平行溝部２１ｂとの境界付近の壁に当るからである。これにより、レンズ載置部１３ａ，１３ｂがレンズ折り畳み完了位置に位置決めされる。その結果、光学レンズ部３ａは、図１の（Ｂ）に示すように、所定の状態に折り畳まれる。以上により、光学レンズ部３ａの折り畳みが完了する。
【００５９】
なお、レンズ折り畳み完了位置とは、光学レンズ部３ａの折り畳みが完了する位置である。このレンズ折り畳み完了位置は、図１の（Ｂ）に示すように、平行溝部２１ｂの内部に設定されている。すなわち、例えば、脚部１２ａ，１２ｂがほぼ完全に接するような位置に設定される。
【００６０】
以上詳述した本実施の形態によれば、レンズ載置部１３ａ，１３ｂに光学レンズ部３ａを載置した後、脚部１２ａ，１２ｂをスライド溝部２１の案内下でスライド移動させることにより、光学レンズ部３ａを折り畳むことができる。これにより、単純な操作により、光学レンズ部３ａを確実に折り畳むことができる。
【００６１】
また、本実施の形態によれば、装置の主要部を構造の簡単な可動部材１と台部材２とによって構成することができる。これにより、装置を簡単にかつ低コストで製造することができる。すなわち、可動部材１は、断面が矩形状の簡単な構造を有する。また、脚部１２ａ，１２ｂと共通基端部１１とは一体的に構成されている。これにより、可動部材１は、例えば、単一の樹脂成型工程（ワンショット成型）によって簡単にかつ低コストで製造することができる。同様に、台部材２は、台材にスライド溝部２１を形成した簡単な構造を有する。これにより、この台部材２も、例えば、上述した単一の樹脂成型工程（ワンショット成型）によって簡単にかつ低コストで製造することができる。その結果、本実施の形態によれば、軟質眼内レンズ折り畳み装置を簡単にかつ低コストで製造することができる。
【００６２】
さらに、本実施の形態によれば、軟質眼内レンズ３をレンズ載置部１３ａ，１３ｂに載置する場合、一対の壁部１４ａ，１４ｂによって、軟質眼内レンズ３を可動部材１のスライド移動方向とは垂直な方向における所定位置に位置決めすることができる。これにより、上記方向における軟質眼内レンズ３の位置を正確に定めることができる。
【００６３】
以上から、本実施の形態によれば、信頼性と経済性にすぐれた単純な構成で、軟質眼内レンズ３を保持して折り畳む場合の取り扱いおよび操作を簡単にかつ確実に行うことができる軟質眼内レンズ折り畳み装置を提供することができる。
【００６４】
さらにまた、本実施の形態によれば、一対の脚部１２ａ，１２ｂが基端部で連結されている。これにより、脚部１２ａ，１２ｂの長さを短くすることができる。その結果、装置の小型化を図ることができる。
【００６５】
また、本実施の形態によれば、一対の壁部１４ａ，１４ｂの壁面が上方に向かうに従って互いに近づくように傾斜されている。これにより、光学レンズ部３ａを折り畳む場合、光学レンズ部３ａが壁部１４ａ，１４ｂから外れるのを防止することができる。
【００６６】
図２は、本発明の軟質眼内レンズ折り畳み装置の第２の実施の形態の構成を状態別に示す平面図および側面図である。なお、図２において、先の図１とほぼ同一機能を果たす部分には、同一符号を付して詳細な説明を省略する。
【００６７】
図２において、（Ａ）は軟質眼内レンズ３を折り畳む前の状態を示し、（Ｂ）は（Ａ）に示すラインＡ−Ａに沿って装置を矢印方向に見た側面図を示し、（Ｃ）は（Ａ）の部分拡大図を示し、（Ｄ）は軟質眼内レンズを折り畳んだ状態を示す。
【００６８】
本実施の形態の装置を第１の実施形態の装置との相違点に着目して説明すると、次のようになる。
【００６９】
すなわち、本実施の形態の装置では、脚部１２ａ，１２ｂにそれぞれ荷重吸収部１６ａ，１６ｂが設けられている。この荷重吸収部１６ａ，１６ｂは、共通基端部１１とレンズ載置部１３ａ，１３ｂとの間に設けられている。この荷重吸収部１６ａ，１６ｂは、可動部材１のスライド移動に伴って脚部１２ａ，１２ｂにかかる変形荷重を集中的に吸収する機能を有する。この荷重吸収部１６ａ，１６ｂは、脚部１２ａ，１２ｂを局部的に弾性屈曲しやすい構造とすることにより形成されている。図には、脚部１２ａ，１２ｂの幅を局部的に狭くすることにより、荷重吸収部１６ａ，１６ｂを形成する場合を示す。
【００７０】
また、本実施の形態の装置では、スライド溝部２１に、テーパ溝部２１ａと平行溝部２１ｂのほかに、ガイド溝部２１ｃが設けられる。このガイド溝部２１ｃは、脚部１２ａ，１２ｂのうち、先端部より後方の部分を案内する機能を有する。
【００７１】
さらに、本実施の形態の装置では、ガイド溝部２１ｃの両岸に押さえガイド部２２ａ，２２ｂが設けられている。この押さえガイド部２２ａ，２２ｂは、可動部材１がスライド溝部２１から浮き上がるのを防止する機能を有する。
【００７２】
さらにまた、本実施の形態の装置では、共通基端部１１のスライド移動方向の幅が、先の実施の形態より広くなるように設定されている。これは、ガイド溝部２１ｃの案内機能を利用するためである。
【００７３】
また、本実施の形態の装置では、可動部材１の後端部にストッパー部１７が設けられている。このストッパー部１７は、可動部材１を進行方向にスライド移動させる場合、レンズ載置部１３ａ，１３ｂをレンズ折り畳み完了位置に位置決めする機能を有する。
【００７４】
なお、このストッパー部１７は、操作者が可動部材１を押すための押圧ノブとしても利用される。
【００７５】
さらに、本実施の形態の装置では、共通基端部１１の両側面に小突起１８ａ，１８ｂが設けられている。この小突起１８ａ，１８ｂは、レンズ載置部１３ａ，１３ｂをレンズ載置位置に位置決めする機能を有する。ここで、レンズ載置位置とは、レンズ載置部１３ａ，１３ｂに光学レンズ部３ａを載置可能な位置である。この位置は、図２の（Ａ）に示すように、ガイド溝部２１ｃの内部に設定される。すなわち、脚部１２ａ，１２ｂがほとんど屈曲変形されていないような位置に設定される。
【００７６】
ガイド溝部２１ｃの両側面には、ロック溝２３ａ，２３ｂが設けられている。このロック溝２３ａ，２３ｂには、レンズ載置部１３ａ，１３ｂがレンズ載置位置に位置決めされたとき、上記小突起１８ａ，１８ｂが嵌め合される。この様子を図２の（Ａ）に示す。
【００７７】
さらにまた、本実施の形態の装置では、脚部１２ａ上のレンズ載置部１３ａの周辺に、図２の（Ｃ）に示すように、一対の垂直突起部１９ａが設けられている。この一対の垂直突起部１９ａは、可動部材１のスライド移動方向に垂直な方向にわずかに離れるように配設されている。同様に、脚部１２ｂ上のレンズ載置部１３ｂの周辺には、図２の（Ｃ）に示すように、一対の垂直突起部１９ｂが設けられている。
【００７８】
上記垂直突起部１９ａ，１９ｂは、レンズ載置部１３ａ，１３ｂを挟むように配設されている。図には、一方の垂直突起部１９ａをレンズ載置部１３ａ，１３ｂより、可動部材１の進行方向に設け、他方の垂直突起部１９ｂを進行方向とは反対の方向（以下、「後退方向」という。）に設ける場合を示す。
【００７９】
上記垂直突起部１９ａ，１９ｂは、軟質眼内レンズ３を可動部材１のスライド移動方向の所定位置に位置決めする機能を有する。これは、軟質眼内レンズ３をレンズ載置部１３ａ，１３ｂに載置する場合、内側の垂直突起部１９ａ，１９ｂの間に載置されるからである。しかも、この状態は、例えば、軟質眼内レンズ３に衝撃が加わった場合でも保持される。これは、軟質眼内レンズ３に衝撃が加わって、軟質眼内レンズ３が可動部材１のスライド移動方向に移動しようしても、光学レンズ部３ａが内側の垂直突起部１９ａ，１９ｂに衝突して、移動が阻止されるからである。
【００８０】
また、上記垂直突起部１９ａ，１９ｂは、軟質眼内レンズ３の向きを光学レンズ部３ａの中心軸を回転軸とする回転方向における所定の向きに設定する機能を有する。これは、軟質眼内レンズ３をレンズ載置部１３ａ，１３ｂに載置する場合、軟質眼内レンズ３の一方の支持部３ｂが対応する一対の垂直突起部１９ａの間に挿入され、他方の支持部３ｂが対応する一対の垂直突起部１９ｂの間に挿入されるからである。しかも、この状態は、軟質眼内レンズ３に衝撃が加わった場合でも保持される。これは、軟質眼内レンズ３に衝撃が加わって、軟質眼内レンズ３が上記回転方向に回転しようしても、支持部３ｂが垂直突起部１９ａ，１９ｂに衝突して、回転が阻止されるからである。
【００８１】
上記構成において、動作を説明する。
軟質眼内レンズ３を折り畳む場合、まず、レンズ載置部１３ａ，１３ｂが操作者によってレンズ載置位置に位置決めされる。これを図２の（Ａ）に示す。このとき、小突起１８ａ，１８ｂがロック溝２３ａ，２３ｂに嵌め合される。これにより、レンズ載置部１３ａ，１３ｂがレンズ載置位置に半固定状態で位置決めされる。
【００８２】
次に、操作者によって、レンズ載置部１３ａ，１３ｂに軟質眼内レンズ３が載置される。このとき、光学レンズ部３ａは、壁部１４ａ，１４ｂによって可動部材１のスライド方向と直交する方向の所定位置に位置決めされる。また、光学レンズ部３ａが可動部材１のスライド移動方向の所定位置に位置決めされる。これは、軟質眼内レンズ３の一方の支持部３ｂが対応する一対の垂直突起部１９ａの間に位置決めされるとともに、他方の支持部３ｂが対応する一対の垂直突起部１９ｂの間に位置決めされるからである。同様に、光学レンズ部３ａの向きが、その中心軸を回転軸とする回転方向の所定の向きに設定される。
【００８３】
次に、ストッパー部１７が操作者によって可動部材１の進行方向に押される。これにより、ストッパー部１７が小突起１８ａ，１８ｂとロック溝２３ａ，２３ｂとの嵌合力より大きな力で押されると、可動部材１が進行方向にスライド移動させられる。
【００８４】
これにより、一対の脚部１２ａ，１２ｂがテーパ溝部２１ａによって屈曲変形させられる。このとき、脚部１２ａ，１２ｂにかかる変形荷重は荷重吸収部１６ａ，１６ｂにより集中的に吸収される。これにより、光学レンズ部３ａにかかる折り曲げ荷重がやわらげられる。また、一対の壁部１４ａ，１４ｂの間隔が平行状態を保ちながら狭められる。これにより、光学レンズ部３ａがその中心線に沿って正確にかつ安定に折り畳まれる。
【００８５】
また、このスライド過程で、軟質眼内レンズ３に衝撃等が加わっても、壁部１４ａ，１４ｂと、垂直突起部１９ａ，１９ｂとの作用により、軟質眼内レンズ３は、所定の位置に位置決めされるとともに、その向きが所定の向きに設定される。
【００８６】
このようにして、レンズ載置部１３ａ，１３ｂがレンズ折り畳み完了位置に達すると、ストッパー部１７が台部材２の後方端部に当る。これにより、可動部材１のスライド移動が停止される。その結果、レンズ載置部１３ａ，１３ｂがレンズ載置位置に位置決めされる。これにより、光学レンズ部３ａの折り畳みが完了する。この様子を図２の（Ｄ）に示す。
【００８７】
以上詳述した本実施の形態によれば、可動部材１をスライド移動させる場合、この脚部１２ａ，１２ｂにかかる変形荷重を荷重吸収部１６ａ，１６ｂによって集中的に吸収することができる。これにより、光学レンズ部３ａにかかる折り曲げ荷重をやわらげることができる。
【００８８】
また、このような構成によれば、光学レンズ部３ａを折り畳む場合、壁部１４ａ，１４ｂの間隔を両者の平行状態を正確に保ちながら狭めることができる。これにより、光学レンズ部３ａをその中心線に沿って正確に折り畳むことができる。その結果、光学レンズ部３ａをその光学的機能を損なうことなく、安定にかつ正確に折り畳むことができる。
【００８９】
また、本実施の形態によれば、可動部材１をスライド移動させる場合、ガイド溝部２１ｃにより、脚部１２ａ，１２ｂの先端部より後方の部分を案内することができる。これにより、可動部材１の横揺れを防止することができる。その結果、可動部材１を安定にスライド移動させることができる。
【００９０】
さらに、本実施の形態によれば、可動部材１をスライド移動させる場合、押さえガイド部２２ａ，２２ｂによって、可動部材１がスライド溝部２１から浮き上がるのを防止することができる。これにより、可動部材１がスライド溝部２１から外れるのを防止することができる。その結果、可動部材１を安定にスライド移動させることができる。
【００９１】
さらにまた、本実施の形態によれば、可動部材１を進行方向にスライド移動させる場合、ストッパー部１７によって、レンズ載置部１３ａ，１３ｂをレンズ折り畳み完了位置に位置決めすることができる。これにより、荷重吸収部１６ａ，１６ｂを設けることによって脚部１２ａ，１２ｂの弾性力が弱めたにもかかわらず、レンズ載置部１３ａ，１３ｂがレンズ折り畳み完了位置を超えてしまうことを防止することができる。
【００９２】
また、本実施の形態によれば、レンズ載置部１３ａ，１３ｂがレンズ載置位置に達すると、可動部材１が小突起１８ａ，１８ｂとロック溝２３ａ，２３ｂとによって半固定状態に固定される。これにより、可動部材１に外部から衝撃が加わった場合、可動部材１が進行方向に移動して、レンズ載置部１３ａ，１３ｂに載置されている軟質眼内レンズ３が破損してしまうといった事故を防止することができる。また、可動部材１が後退方向に移動して、可動部材１が台部材２から脱落してしまうといった事故も防止することができる。
【００９３】
さらに、本実施の形態によれば、光学レンズ部３ａをレンズ載置部１３ａ，１３ｂに載置する場合、光学レンズ部３ａを垂直突起部１９ａ，１９ｂによって可動部材１のスライド移動方向の所定位置に位置決めすることができる。これにより、光学レンズ部３ａをその径方向のどの点においても均等な力で折り曲げることができる。
【００９４】
さらにまた、本実施の形態によれば、光学レンズ部３ａをレンズ載置部１３ａ，１３ｂに載置する場合、光学レンズ部３ａの向きを、その中心軸を回転軸とする回転方向における所定の向きに設定することができる。これにより、光学レンズ部３ａをその中心を通る所定の中心線に沿って折り畳むことができる。
【００９５】
図３および図４は、本発明の軟質眼内レンズ収納容器の一実施の形態の構成を状態別に示す平面図および側面図である。なお、図３および図４において、先の図２とほぼ同一機能を果たす部分には、同一符号を付して詳細な説明を省略する。
【００９６】
同図に示す収納容器は、図２に示したレンズ折り畳み装置に蓋部材４を設けることにより、軟質眼内レンズ３を収納するための収納空間を形成するようになっている。
【００９７】
ここで、図３は、収納容器に軟質眼内レンズ３を収納した状態を示し、図４は、収納された軟質眼内レンズ３を折り畳んだ状態を示す。
【００９８】
図３において、（Ａ）は蓋部材４を取り付けた状態を示し、（Ｂ）は（Ａ）に示すラインＡ−Ａに沿って装置を矢印方向に見た側面図を示し、（Ｃ）は蓋部材４を取り外した状態を示し、（Ｄ）は（Ｃ）に示すラインＣ−Ｃに沿って装置を矢印方向に見た側面図を示す。
【００９９】
また、図４において、（Ａ）は蓋部材４を取り付けた状態を示し、（Ｂ）は蓋部材４を取り外した状態を示し、（Ｃ）は（Ｂ）に示すラインＢ−Ｂに沿って装置を矢印方向に見た側面図を示す。
【０１００】
なお、図３および図４において、図２と共通する部分については、一部の符号を省略してある。
【０１０１】
本実施の形態の軟質眼内レンズ収納容器は、可動部材１と、台部材２と、蓋部材４とを有する。可動部材１と台部材２のうち、蓋部材３に関係する部分以外の部分の構成は、図２に示したものとほぼ同じである。したがって、以下の説明では、この部分の詳細な説明は省略する。
【０１０２】
上記蓋部材４は、ほぼ長方形の板状に形成されている。この蓋部材４には、この蓋部材４を台部材２に取りつけるための一対の係止凸部４１ａ，４１ｂが設けられている。この一対の係止凸部４１ａ，４１ｂは、それぞれ蓋部材４の２つの長辺側の側縁部に設けられている。
【０１０３】
上記台部材２には、上記蓋部材４をスライド自在に保持するための一対の係止溝部２４ａ，２４ｂが設けられている。この係止溝部２４ａ，２４ｂは、可動部材１のスライド移動方向に形成されている。
【０１０４】
この係止溝部２４ａ，２４ｂには、上記係止凸部４１ａ，４１ｂを係止溝部２４ａ，２４ｂに嵌めこむための嵌入口部２５ａ，２５ｂが設けられている。この嵌入口部２５ａ，２５ｂは、係止溝部２４ａ，２４ｂにおいて、可動部材１の進行方向の端部に設けられている。
【０１０５】
上記蓋部材４の中央部には、外部からレンズ収納空間を覗くためのレンズ覗窓部４２が設けられている。また、この蓋部材４の下面には、レンズ収納空間を形成するための支持突起部４３ａ，４３ｂが形成されている。
【０１０６】
なお、蓋部材４と可動部材１とは、互いに独立にスライド移動可能とされている。但し、両者は、一緒に操作可能とされている。これは、例えば、両者の上下方向の間隔を一緒に手で押すことが可能な間隔に設定することにより行われる。
【０１０７】
上記構成において、動作を説明する。
まず、軟質眼内レンズ３をレンズ収納空間に収納する動作を説明する。
この場合、まず、レンズ載置部１３ａ，１３ｂが、操作者によって、図３の（Ｃ）に示すように、レンズ載置位置に位置決めされる。また、蓋部材４が操作者によって台部材２から取り外される。次に、軟質眼内レンズ３が操作者によってレンズ載置部１３ａ，１３ｂに載置される。次に、図２の（Ａ）に示すように、レンズ収納空間が蓋部材４によって閉じられる。以上により、軟質眼内レンズ３をレンズ収納空間を収納する動作が終了する。
【０１０８】
ここで、蓋部材４によってレンズ収納空間を閉じる動作を説明する。この場合、まず、係止凸部４１ａ，４１ｂが嵌入口部２５ａ，２５ｂに挿入される。次に、蓋部材４が脚部１２ａ，１２ｂの後退方向にスライド移動させられる。これにより、蓋部材４が台部材２に取り付けられる。その結果、レンズ収納空間が蓋部材４により閉じられる。
【０１０９】
なお、蓋部材４のスライド移動は、係止溝部２４ａ，２４ｂの終端部まで行われる。すなわち、可動部材１の１２ａ，１２ｂの後退方向の端部まで行われる。これにより、覗窓部４２がレンズ載置位置に位置決めされる。その結果、レンズ載置部１３ａ，１３ｂに載置された軟質眼内レンズ３を覗窓部４２を通して外部から見ることができる。
【０１１０】
また、一方の支持突起部４３ａが対応する一対の垂直突起部１９ａと重なるように位置決めされる。同様に、他方の支持突起部４３ｂが対応する一対の垂直突起部１９ｂと重なるように位置決めされる。これにより、支持突起部４３ａ，４３ｂと垂直突起部１９ａ，１９ｂとにより、蓋部材４を支える支柱が形成される。その結果、蓋部材４の強度が補強される。その結果、レンズ収納空間が安定に保持される。
【０１１１】
また、この場合、一方の一対の垂直突起部１９ａの上端部が対応する支持突起部４３ａにより塞がれる。同様に、他方の一対の垂直突起部１９ｂが対応する支持突起部４３ｂにより塞がれる。これにより、軟質眼内レンズ３の一方の支持部３ｂが対応する一対の垂直突起部１９ａから外れることが防止される。同様に、他方の支持部３ｂが対応する一対の垂直突起部１９ｂから外れることが防止される。その結果、軟質眼内レンズ３に衝撃が加わった場合でも、軟質眼内レンズ３の位置や向きのずれが防止される。
【０１１２】
次に、軟質眼内レンズ３を折り畳んで、レンズ収納空間から取り出す動作を説明する。
この動作は、レンズ収納空間を開く動作と、軟質眼内レンズ３を折り畳む動作とを含む。本実施の形態では、これらは、別々に行うことも可能であるし、一緒に行うことも可能である。
【０１１３】
まず、両者を別々に行う場合の動作を説明する。
この場合、まず、蓋部材４が、操作者によって、可動部材１の進行方向にスライド移動させられる。このスライド移動は、係止凸部４１ａ，４１ｂが嵌入口部２５ａ，２５ｂに到達するまで行われる。係止凸部４１ａ，４１ｂが嵌入口部２５ａ，２５ｂに到達すると、係止凸部４１ａ，４１ｂのスライド移動が停止させられる。これは，係止凸部４１ａ，４１ｂが嵌入口部２５ａ，２５ｂの壁面に当るからである。次に、蓋部材４が操作者によって台部材２から取り上げられる。これにより、レンズ収納空間が開かれる。
【０１１４】
次に、可動部材１が、操作者によって、進行方向にスライド移動させられる。このスライド移動は、ストッパー部１７が台部材２の後方端部に当るまで行われる。ストッパー部１７が台部材２の後方端部に当ると、可動部材１のスライド移動が停止させられる。これにより、レンズ載置部１３ａ，１３ｂは、レンズ折り畳み完了位置に位置決めされる。その結果、光学レンズ部３ａの折り畳みが完了する。
【０１１５】
次に、折り畳まれた軟質眼内レンズ３が、操作者によって、レンズ載置部１３ａ，１３ａから取り上げられる。
【０１１６】
以上により、軟質眼内レンズ３をレンズ収納空間から取り出す動作が終了する。
【０１１７】
次に、レンズ収納空間を開く動作と軟質眼内レンズ３を折り畳む動作とを一緒に行う場合の動作を説明する。
この場合、まず、蓋部材４と可動部材１とが、操作者によって、一緒に押される。これにより、蓋部材４と可動部材１とが、可動部材１の進行方向にスライド移動させられる。このスライド移動は、ストッパー部１７が台部材２の後方端部に当るまで行われる。これにより、光学レンズ部３ａが所定の状態に折り畳まれる。また、このとき、係止凸部４１ａ，４１ｂは、嵌入口部２５ａ，２５ｂに到達している。
【０１１８】
次に、蓋部材４が、操作者によって、台部材２から取り上げられる。これにより、レンズ収納空間が開かれる。次に、折り畳まれた軟質眼内レンズ３が、操作者によって、レンズ載置部１３ａ，１３ａから取り上げられる。
【０１１９】
以上により、軟質眼内レンズ３をレンズ収納空間から取り出す動作が終了する。
【０１２０】
以上詳述した本実施の形態によれば、蓋部材４を使って、レンズ載置部１３ａ，１３ｂに載置された軟質眼内レンズ３を収納するレンズ収納空間を形成するようにしたので、レンズ載置部１３ａ，１３ｂに載置された軟質眼内レンズ３を直接外部に触れない状態で取り扱うことができる。これにより、軟質眼内レンズ３の製造者側から使用者側にこの軟質眼内レンズ３を運搬する場合、軟質眼内レンズ３をレンズ載置部１３ａ，１３ｂに載置した状態で運ぶことができる。その結果、軟質眼内レンズの使用者側で、軟質眼内レンズ３をレンズ載置部１３ａ，１３ｂに載置する手間を省くことができる。
【０１２１】
また、本実施の形態によれば、レンズ収納空間を蓋部材４のスライド移動によって開閉するようにしたので、レンズ収納空間の開閉構成を簡単にすることができる。
【０１２２】
さらに、本実施の形態によれば、蓋部材４のスライド移動方向を可動部材１のスライド移動方向と同じ方向に設定したので、操作者がレンズ収納空間を開閉する場合と軟質眼内レンズ３を折り畳む場合の操作性を高めることが可能である。
【０１２３】
さらにまた、本実施の形態によれば、レンズ収納空間を開くための蓋部材４のスライド移動方向を軟質眼内レンズ３を折り畳むための可動部材１のスライド移動方向と同じ方向に設定したので、軟質眼内レンズ収納容器を小型化すことができる。
【０１２４】
また、本実施の形態によれば、蓋部材４と可動部材１とを独立にスライド移動させることが可能なので、レンズ収納空間を開く動作と軟質眼内レンズ３を折り畳む動作とを別々に行うことができる。これにより、軟質眼内レンズ３の折り畳み状態を確認しながら、その折り畳み動作を行うことができる。
【０１２５】
さらに、本実施の形態によれば、蓋部材４と可動部材１とを一緒に操作することが可能なので、上記２つの動作を１つの操作で一緒におこなうこともできる。これにより、軟質眼内レンズ３の折り畳みを開始してから、折り畳まれた軟質眼内レンズ３を取り出すまでの時間を短くすることができる。
【０１２６】
さらにまた、本実施の形態によれば、垂直突起部１９ａ，１９ｂと合致する支持突起部４３ａ，４３ｂを設けるようにしたので、蓋部材４の強度を補強することができる。また、軟質眼内レンズ３の位置や向きを所定の位置や向きに確実に保持することができる。これにより、軟質眼内レンズ３を収納容器に収納した状態で製造者側から使用者側に運ぶ場合、軟質眼内レンズ３に衝撃が加わっても、軟質眼内レンズ３がレンズ載置部１３ａ，１３ｂから外れてしまうことを防止することができる。
【０１２７】
以上、本発明の複数の実施の形態を説明したが、本発明は上述したような実施の形態に限定されるものではない。
例えば、先の実施の形態では、脚部１２ａ，１２ｂと共通基端部１１とを一体的に形成する場合を説明した。しかしながら、本発明は、別部材で形成するようにしてもよい。
【０１２８】
また、先の実施の形態では、一対の脚部１２ａ，１２ｂを連結する場合、基端部で連結する場合を説明した。しかしながら、本発明は、基端部と先端部との中間で連結するようにしてもよい。
【０１２９】
さらに、先の実施の形態では、荷重吸収部を形成する場合、脚部１２ａ，１２ｂの幅を局所的に狭くすることにより形成する場合を説明した。しかしながら、本発明は、例えば、脚部１２ａ，１２ｂの材質や組成を局部的に異ならせることによって形成するようにしてもよい。
【０１３０】
さらにまた、先の実施の形態では、蓋部材４と可動部材１とが独立にスライド移動可能な場合を説明した。しかし、本発明は、両者が連動してスライド移動可能なようにしてもよい。すなわち、一方をスライド移動させると、これに連動して他方も自動的にスライド移動されるようにしてもよい。このような構成によれば、両者を一緒に操作しなくても一方をスライド移動させる操作によって、他方もスライド移動させることができる。
【０１３１】
また、先の実施の形態では、蓋部材４のスライド機構を構成する係止凸部４１ａ，４１ｂを蓋部材４に設け、係止溝部２４ａ，２４ｂと嵌入口部２５ａ，２５ｂとを台部材２に設ける場合を説明した。しかしながら、本発明は、係止凸部４１ａ，４１ｂを台部材２に設け、係止溝部２４ａ，２４ｂと嵌入口部２５ａ，２５ｂとを蓋部材４に設けるようにしてよい。
【０１３２】
さらに、先の実施の形態では、レンズ収納空間を開くための蓋部材４のスライド移動方向を軟質眼内レンズ３を折り畳む場合の可動部材１のスライド移動方向と同じ方向に設定する場合を説明した。しかしながら、本発明では、反対方向に設定するようにしてもよい。
【０１３３】
さらにまた、先の実施の形態では、蓋部材４のスライド移動方向を可動部材１のスライド移動方向と同じ方向に設定する場合を説明した。しかしながら、本発明では、これら別の方向に設定するようにしてもよい。例えば、これらを直交する方向に設定するようにしてもよい。
【０１３４】
また、先の実施の形態では、蓋部材４を台部材２に着脱自在に取り付ける場合を説明した。しかし、本発明は、蓋部材４を台部材２に固定的に取り付けるようにしてもよい。
【０１３５】
さらに、先の実施の形態では、先の実施の形態では、蓋部材４のスライド構成によって、レンズ収納空間を開閉する場合を説明した。しかし、本発明は、これ以外の方法によって開閉するようにしてもよい。例えば、フック機構を利用した着脱構成、ヒンジ機構を利用した回転構成によって、開閉するようにしてもよい。
【０１３６】
このほかにも、本発明は、その要旨を逸脱しない範囲で種々様々変形実施可能なことは勿論である。
【０１３７】
（産業上の利用可能性）
以上詳述したように、第１の発明と第１１の発明によれば、レンズ載置部に軟質眼内レンズを載置した後、脚部をスライド溝部の案内下でスライド移動させることにより、軟質眼内レンズを折り畳むことができる。これにより、単純な操作により、軟質眼内レンズを確実に折り畳むことができる。また、この第１の発明によれば、装置等の主要部を構造の簡単な可動部材と台部材とによって構成することができる。これにより、装置等を簡単にかつ低コストで製造することができる。さらに、この第１の発明によれば、軟質眼内レンズをレンズ載置部に載置する場合、軟質眼内レンズを一対の壁部によって可動部材のスライド移動方向とは直交する方向の所定位置に正確に位置決めすることができる。これにより、光学レンズ部をその中心線に沿って確実に折り畳むことができる。
【０１３８】
以上から、第１の発明によれば、信頼性と経済性にすぐれた単純な構成で、軟質眼内レンズを保持して折り畳む場合の取り扱いおよび操作を簡単にかつ確実に行うことができる。
【０１３９】
また、第２の発明と、第１７の発明と、第２６の発明と、第２７の発明とによれば、可動部材をスライド移動させる場合、脚部にかかる変形荷重を荷重吸収部によって集中的に吸収することができる。これにより、軟質眼内レンズにかかる折り曲げ荷重をやわらげることができるとともに、軟質眼内レンズをその光学的機能を損なうことなく、安定にかつ正確に折り畳むことができる。
【０１４０】
さらに、第３の発明と、第１８の発明と、第２６の発明と、第２７の発明とによれば、レンズ載置部に載置された軟質眼内レンズを可動部材のスライド移動方向の所定位置に位置決めすることができる。これにより、光学的レンズ部をその径方向のいたるところで、均等な力で折り畳むことができる。
【０１４１】
さらにまた、第４の発明と、第１９の発明と、第２６の発明とによれば、レンズ載置部に載置された軟質眼内レンズの向きを光学レンズ部の中心軸を回転軸とする回転方向における所定の向きに設定することができる。これにより、光学レンズ部を所定の中心線に沿って確実に折り曲げることができる。
【０１４２】
また、第５の発明と、第２０の発明と、第２６の発明とによれば、可動部材をスライド移動させる場合、案内溝部により、脚部の先端部より後方の部分を案内することができる。これにより、可動部材の横揺れを防止することができるので、可動部材を安定にスライド移動させることができる。
【０１４３】
さらに、第６の発明と、第２１の発明と、第２６の発明とによれば、可動部材をスライド移動させる場合、可動部材がスライド溝部から浮き上がるのを防止することができる。これにより、可動部材がスライド溝部から外れるのを防止することができる。
【０１４４】
さらにまた、第７の発明と、第２２の発明と、第２６の発明とによれば、レンズ載置部をレンズ載置位置に位置決めするための位置決め部を設けるようにしたので、可動部材に衝撃が加わった場合でも、レンズ載置部がレンズ載置位置から動いてしまうことを防止することができる。
【０１４５】
また、第８の発明と、第２３の発明と、第２６の発明とによれば、可動部材を進行方向にスライド移動させる場合、レンズ載置部をレンズ折り畳み完了位置に位置決めする位置決め部を設けるようにしたので、レンズ載置部をレンズ折り畳み完了位置に確実に位置決めすることができる。
【０１４６】
さらに、第９の発明と、第２４の発明と、第２６の発明とによれば、一対の脚部を基端部で連結するようにしたの、脚部の長さを短くすることができる。
【０１４７】
さらにまた、第１０の発明と、第２５の発明と、第２６の発明とによれば、連結部を脚部と一体的に形成するようにしたので、可動部材を容易に製造することができる。
【０１４８】
また、第１１の発明によれば、蓋部材を使って、レンズ載置部に載置された軟質眼内レンズを収納するレンズ収納空間を形成するようにしたので、レンズ載置部に載置された軟質眼内レンズを直接外部に触れない状態で取り扱うことができる。これにより、軟質眼内レンズの製造者側から軟質眼内レンズの使用者側に軟質眼内レンズを運搬する場合、軟質眼内レンズをレンズ載置部に載置した状態で運搬することができる。
【０１４９】
さらに、第１２の発明によれば、レンズ収納空間を蓋部材のスライド移動によって開閉するようにしたので、レンズ収納空間の開閉構成を簡単にすることができる。
【０１５０】
さらにまた、第１３の発明によれば、蓋部材のスライド移動方向を可動部材のスライド移動方向と同じ方向に設定したので、操作者がレンズ収納空間を開閉する場合と軟質眼内レンズを折り畳む場合の操作性を高めることが可能である。
【０１５１】
第１４の発明によれば、レンズ収納空間を開くための蓋部材のスライド移動方向を軟質眼内レンズを折り畳むための可動部材のスライド移動方向と同じ方向に設定したので、軟質眼内レンズ収納容器を小型化すことができる。
【０１５２】
第１５の発明によれば、蓋部材と可動部材とを独立にスライド移動させることが可能なので、レンズ収納空間を開く動作と軟質眼内レンズを折り畳む動作とを別々に行うことができる。これにより、軟質眼内レンズの折り畳み状態を確認しながら、その折り畳み動作を行うことができる。
【０１５３】
第１６の発明によれば、蓋部材と可動部材とを一緒に操作することが可能なので、上記２つの動作を１つの操作で一緒に行うこともできる。
【図面の簡単な説明】
【図１】図１は、本発明の軟質眼内レンズ折り畳み装置の第１の実施の形態の構成を示す斜視図である。
【図２】図２は、本発明の軟質眼内レンズ折り畳み装置の第２の実施の形態の構成を示す図である。
【図３】図３は、本発明の軟質眼内レンズ収納容器の一実施の形態の構成を示す図であって、軟質眼内レンズを折り畳む前の状態を示す図である。
【図４】図４は、本発明の軟質眼内レンズ収納容器の一実施の形態の構成を示す図であって、軟質眼内レンズを折り畳んだ後の状態を示す図である。
１…  可動部材、１１…共通基端部、１２ａ，１２ｂ…脚部、１３ａ，１３ｂ…レンズ載置部、１４ａ，１４ｂ…壁部、１５ａ，１５ｂ…テーパ部、１６ａ，１６ｂ…荷重吸収部、１７…ストッパー部、１８ａ，１８ｂ…小突起、１９ａ，１９ｂ…垂直突起部、２…台部材、２１…スライド溝部、２１ａ…テーパ溝部、２１ｂ…平行溝部、２１ｃ…ガイド溝部、２２ａ，２２ｂ…押さえガイド部、２３ａ，２３ｂ…ロック溝、２４ａ，２４ｂ…係止溝部、２５ａ，２５ｂ…嵌入口部、３…軟質眼内レンズ、３ａ…光学レンズ部、３ｂ…支持部、４…蓋部材、４１ａ，４１ｂ…係止凸部、４２…レンズ覗窓部、４３ａ，４３ｂ…支持突起部。
【図１】
0003569509.tif 000002
【図２】
0003569509.tif 000003
【図３】
0003569509.tif 000004
【図４】
0003569509.tif 000005